(57)【要約】      （修正有）【課題】広告や告知等を印刷したラベルが巻き付けられ、ノベルティグッズや広告媒体として適した携帯ストラップ型の化粧品容器を提供する。【解決手段】円筒形の化粧品容器の本体１０の外周面に、保持されるラベル６０の幅と略同一の幅を有するラベル保持溝１８を周設した。広告や告知等が印刷できるラベル６０はラベル保持溝１８にぴったり収まるので、バッグやポケットに入れて携帯電話と共に持ち歩いたり、頻繁に出し入れしても、ラベル６０がずれ落ちにくく、長期間に亘って広告やノベルティの効果を発揮することができる。【選択図】図１
0003154217.tif 000002
【実用新案登録請求の範囲】
【請求項１】
ストラップを介して携帯電話に接続可能な携帯ストラップ型の化粧品容器において、
円筒形の化粧品容器の化粧品容器本体及び／またはキャップの外周面に、保持されるラベルの幅と略同一の幅を有するラベル保持溝を周設したことを特徴とする携帯ストラップ型の化粧品容器。
【請求項２】
化粧品容器は、化粧品容器本体の下端に設けられた回転つまみにより充填されたリップクリームを伸縮させるとともに、化粧品容器本体の上端に設けられた嵌合部にキャップが嵌合するリップクリーム容器であり、
ラベル保持溝は、回転つまみ及びキャップにより化粧品容器本体に形成される請求項1に記載の携帯ストラップ型の化粧品容器。
【考案の詳細な説明】
【技術分野】
【０００１】
本考案は、化粧品を収容する携帯ストラップ型の化粧品容器に関する。
【背景技術】
【０００２】
リップクリームや口紅のような化粧品は、特に若い女性は外出時に常時携帯しており、必要に応じてバッグやポーチなどから取り出して使用している。一方、我が国の若い女性の携帯電話の所持率はほぼ１００％と言ってよく、これに着目して化粧品容器を携帯ストラップ型に構成し、忘れ物を防止したりバッグの中から探しやすくすることが提案されている（特開２００２−３４６３３公報）。このような携帯ストラップ型の化粧品容器は実用品としても便利であるが、携帯電話とともに常時携帯され、携帯電話を使用する度に使用者の目に触れるため、ノベルティグッズや広告媒体としても適している。その場合、化粧品容器本体の外周面に広告や告知等を印刷したラベルを貼り付けたり巻き付けたりすることになるが、バッグやポケットの中に入れて運搬され、頻繁に出し入れされるので、ラベルが剥がれ落ちやすかった。
【先行技術文献】
【特許文献】
【０００３】
【特許文献１】特開２００２−３４６３３公報
【考案の概要】
【考案が解決しようとする課題】
【０００４】
よって本考案の目的は、特に広告や告知等を印刷したラベルが巻き付けられ、ノベルティグッズや広告媒体として適した携帯ストラップ型の化粧品容器を提供することにある。
【課題を解決するための手段】
【０００５】
上記課題を解決するために請求項1に記載の考案は、ストラップを介して携帯電話に接続可能な携帯ストラップ型の化粧品容器において、円筒形の化粧品容器本体及び／またはキャップの外周面に、保持されるラベルの幅と略同一の幅を有するラベル保持溝を周設して携帯ストラップ型の化粧品容器を構成した。
【０００６】
請求項1に記載の考案においては、円筒形の化粧品容器本体及び／またはキャップの外周面には、保持されるラベルの幅と略同一の幅を有するラベル保持溝を周設したので、このラベル保持溝の中にラベルを巻き付けると、ラベルがラベル保持溝にぴったり収まる。ここで化粧品とは、リップクリーム、口紅、リップグロス、アイシャドウ、マスカラ、ファンデーション、練り香水などを指す。
【０００７】
請求項２に記載の考案は、化粧品容器は、化粧品容器本体の下端に設けられた回転つまみにより充填されたリップクリームを伸縮させるとともに、化粧品容器本体上端に設けられた嵌合部にキャップが嵌合するリップクリーム容器であり、ラベル保持溝は、回転つまみ及びキャップにより化粧品容器本体に形成されるように請求項１に記載の携帯ストラップ型の化粧品容器を構成した。
【０００８】
リップクリームは、口紅やリップグロスやマスカラなど他の化粧品と比較すると、頻繁に使用されるので、広告や告知等に注意が払われる回数が多くなる。また、ラベル保持溝は回転つまみ及びキャップにより化粧品本体に形成されるので、成型が容易で安価に製造することができる。
【考案の効果】
【０００９】
以上のように本考案によると、広告や告知等が印刷できるラベルがラベル保持溝にぴったり収まるので、ずれて落ちたりしにくく、長期間に亘って広告やノベルティグッズとしての効果を発揮することができる。
【図面の簡単な説明】
【００１０】
【図１】図１は、本考案に係る携帯ストラップ型の化粧品容器の一つの実施の形態を示す斜視図である。
【図２】図２は、図１に示した携帯ストラップ型の化粧品容器の本体の内部構造を省略した片側断面図である。
【図３】図３は、本考案に係る携帯ストラップ型の化粧品の他の実施の形態を示す図２と同様の図である。
【考案を実施するための形態】
【００１１】
以下、添付の図面を参照しつつ、本考案の実施の形態について詳細に説明する。なお、以下の説明は考案をより深く理解するためのものであって、実用新案登録請求の範囲を限定するためのものではない。
【００１２】
各図において、本考案の一つの実施の形態である携帯ストラップ型の化粧品容器は、全体が円筒形であって、本体１０、キャップ２０、ストラップ３０及び回転つまみ４０からなる。
【００１３】
キャップ２０には、上面から側周面に貫通するストラップ通し孔２２が設けられており、ストラップ３０が通されて一端が接続されている。ストラップ３０の他端は携帯電話（図示していない）に接続される。
【００１４】
本体１０の上端には、キャップ２０の内周面とぴったり嵌合する嵌合部１２が設けられており、本体１０の内部に充填されるリップクリーム５０を保持すると共に、空気に触れて乾燥するのを防止する。嵌合部１２の下方には、ラベル６０を保持するためのラベル保持溝１８が設けられている。ラベル保持溝１８は、嵌合部１２の直下に配置された上フランジ１４と、本体１０の下端に配置された下フランジ１６とにより形成されており、上フランジ１４と下フランジ１６との間の幅はラベル６０の幅とほぼ同一であり、また上フランジ１４及び下フランジ１６の高さにより定まるラベル保持溝１８の深さはラベル６０の厚さよりも大きい。
【００１５】
本体１０の下端には、充填されているリップクリーム５０を伸縮させるための回転つまみ４０が設けられており、一方向に回転させると、本体１０の内部に充填されたリップクリーム５０が本体１０の先端から伸び、他の方向に回転させると、リップクリーム５０が本体１０の内部に引っ込むようになっている。
【００１６】
化粧品容器を構成する各部材は、例えばポリプロピレンのような合成樹脂製であり、ラベル６０も、例えばポリエチレンフィルムのような合成樹脂フィルムである。ラベル６０には、広告や告知等が印刷されている（図示していない）。
【００１７】
他の実施の形態においては、化粧品が充填される本体よりもキャップの方が外周面の面積が広く構成され、キャップにラベル保持溝が設けられる。また本体とキャップの両方にラベル保持溝が設けられていてもよい。
【００１８】
次に、図示の携帯ストラップ型の化粧品容器の実施の形態の作用について説明する。
【００１９】
本体１０のラベル保持溝１８には、ラベル保持溝１８の幅とほぼ同一の幅を有するラベル６０が巻き付けられる。ラベル６０の長さは、ラベル保持溝１８の周の長さよりも少し長く、従ってラベル保持溝１８に巻き付けられたときにラベル６０の前端と後端は少し重畳するので、重畳部分を熱溶着することによりラベル６０をラベル保持溝１８内に巻き付けた状態で止めることができる。
【００２０】
化粧品容器は携帯電話にストラップ３０を介して接続され、携帯電話と共にバッグやポーチやポケットに入れて持ち歩かれ、頻繁に出し入れされる。その度に、ラベル６０に印刷された広告や告知等を使用者や周囲の人が見ることになる。運搬やバッグへの出し入れにより、化粧品容器はかなり手荒に扱われることもあるが、ラベル６０はラベル保持溝１８内に保持される。すなわち、ラベル６０が上フランジ１４または下フランジ１６を乗り越えてずれ、本体１０からラベル６０が抜け落ちて剥がれることはない。よって、化粧品容器に充填されたリップクリームがなくなるまで、ノベルティグッズや広告媒体としての効果を維持することができる。
【００２１】
図３は、本考案の携帯ストラップ型の化粧品容器の他の実施の形態を示す本体の内部構造を省略した片側断面図である。図１、２に示した実施の形態と同様の機能を有する部分には、同じ記号を付して示してある。
【００２２】
図３の化粧品容器は、図１、２に示した実施の形態と同様に、本体７０の下端に設けられた回転つまみ９０により充填されたリップクリーム（図示していない）を伸縮させるとともに、本体７０の上端に設けられた嵌合部１２にキャップ８０がぴったり嵌合するリップクリーム容器である。
【００２３】
本実施の形態においては、ラベル保持溝１８は、回転つまみ９０及びキャップ８０により本体７０に形成される。すなわち回転つまみ９０とキャップ８０との間の幅はラベル６０の幅とほぼ同一であり、また回転つまみ９０及びキャップ８０の高さにより定まるラベル保持溝１８の深さはラベル６０の厚さよりも大きい。
【００２４】
本実施の形態によると、図１、２に示した実施の形態の作用効果を、フランジ１４、１６を必要とすることなく得ることができる。すなわちラベル６０は、キャップ８０を本体７０に嵌合している間、キャップ８０または回転つまみ９０を乗り越えてずれることはない。よって成型が容易で、安価に製造することができる。
【００２５】
以上、本考案の実施の形態について説明したが、本考案は上記実施の形態に限定されるものではなく、本考案の要旨の範囲内において、適宜変形実施が可能であることは言うまでもない。
【符号の説明】
【００２６】
１０  本体
１２  嵌合部
１４  上フランジ
１６  下フランジ
１８  ラベル保持溝
２０  キャップ
２２  ストラップ通し孔
３０  ストラップ
４０  回転つまみ
５０  リップクリーム
６０  ラベル
【図１】
0003154217.tif 000003
【図２】
0003154217.tif 000004
【図３】
0003154217.tif 000005